(57)【特許請求の範囲】
【請求項１】
所定の記録媒体上にカラー画像を形成し出力するカラー画像形成装置であって、
記録対象の画像データにおける黒成分について第一の解像度の画像信号を生成する第一の解像度変換手段と、
記録対象の画像データにおける黒成分以外の成分について第二の解像度の画像信号を生成する第二の解像度変換手段と、
前記第一および第二の解像度変換手段で変換された画像信号に基づいて画像を記録する電子写真方式の記録手段とを備え、
前記第一の解像度変換手段が前記黒成分の画像データに応じてパルス幅変調した前記第一の解像度の画像信号を生成する際に閾値信号として使用するパターン信号の周波数は、前記第二の解像度変換手段が使用する前記パターン信号の周波数よりも高いことを特徴とするカラー画像形成装置。
【請求項２】
さらに、原稿読取手段と、
読み取られた原稿の画像データに基づいてUCR処理を行い、前記黒成分の画像データを生成する際の、黒画像生成の比率データを、前記UCR処理する以前のYMC成分の最小値に応じて制御する制御手段とを備えることを特徴とする請求項1に記載のカラー画像形成装置。
【請求項３】
前記制御手段は、前記YMC成分の最小値が小さい場合は前記黒画像生成の比率データを小さくし、前記YMC成分の最小値が大きい場合は前記比率データを大きくすることを特徴とする請求項2に記載のカラー画像形成装置。
【請求項４】
前記比率データは、所定値を境にして急峻に変化することを特徴とする請求項3項に記載のカラー画像形成装置。
【請求項５】
さらに、前記黒成分の階調数を他の色成分より少なくすることを特徴とする請求項1に記載のカラー画像形成装置。
【請求項６】
所定の記録媒体上にカラー画像を形成し出力するカラー画像形成装置における制御方法であって、
記録対象の画像データにおける黒成分について第一の解像度の画像信号を生成する第一の解像度変換工程と、
記録対象の画像データにおける黒成分以外の成分について第二の解像度の画像信号を生成する第二の解像度変換工程と、
前記第一および第二の解像度変換工程で変換された画像信号に基づいて、電子写真方式により画像を記録する記録工程とを備え、
前記第一の解像度変換工程で前記黒成分の画像データに応じてパルス幅変調した前記第一の解像度の画像信号を生成する際に閾値信号として使用するパターン信号の周波数は、前記第二の解像度変換工程で使用する前記パターン信号の周波数よりも高いことを特徴とするカラー画像形成装置の制御方法。
【請求項７】
さらに、所定の画像読取装置より画像を読み取る原稿読取工程と、
読み取られた原稿の画像データに基づいてUCR処理を行い、前記黒成分の画像データを生成する際の、黒画像生成の比率データを、前記UCR処理する以前のYMC成分の最小値に応じて制御する制御工程とを備えることを特徴とする請求項6に記載のカラー画像形成装置の制御方法。
【請求項８】
前記制御工程は、前記YMC成分の最小値が小さい場合は前記黒画像生成の比率データを小さくし、前記YMCの成分の最小値が大きい場合は前記比率データを大きくすることを特徴とする請求項7に記載のカラー画像形成装置における制御方法。
【請求項９】
前記比率データは、所定値を境にして急峻に変化することを特徴とする請求項8に記載のカラー画像形成装置の制御方法。
【請求項１０】
さらに、前記黒成分の階調数を他の色成分より少なくすることを特徴とする請求項6に記載のカラー画像形成装置の制御方法。
【発明の詳細な説明】
【０００１】
【発明の属する技術分野】
本発明はカラー画像形成装置及びその制御方法に関するものである。
【０００２】
【従来の技術】
一般に、文字線画部分についてはその性質上、細部まで明瞭にして像形成することが望まれる。また、カラー階調画像部分については、その階調性が保たれることが望まれる。
【０００３】
上記の理由のため、文字線画とカラー階調画像が混在した原稿を複写する場合には、それぞれの像を分離させ、文字線画部分に対する記録解像度を階調画像のそれより高くし出力する技術が既に提案されている。
【０００４】
【発明が解決しようとする課題】
しかしながら、文字線画部分の記録解像度をより高くすると、ハイライト部ががさついてしまい、更には形成に要する時間もかかり、且つ、装置コストも上がるという問題がある。
【０００５】
また、像域分離（文字線画部分とカラー階調画像部分との分離）の判定に誤りが発生することもあり、結果的に意図しない画像が形成されてしまう、という問題もある。
【０００６】
本発明はかかる問題点に鑑みなされたもので、文字線画に使用される確率の高い黒の解像度を相対的に上げた記録設定を行うことで、装置規模の大幅な簡略化を図り、黒色の文字線画とカラー階調画像というほとんどのケースに適用でき、良好な画質の画像を形成することを目的とする。
【０００７】
【課題を解決するための手段】
課題を解決するため、本発明のカラー画像形成装置は以下の構成を備える。すなわち、所定の記録媒体上にカラー画像を形成し出力するカラー画像形成装置であって、記録対象の画像データにおける黒成分について第一の解像度の画像信号を生成する第一の解像度変換手段と、記録対象の画像データにおける黒成分以外の成分について第二の解像度の画像信号を生成する第二の解像度変換手段と、前記第一および第二の解像度変換手段で変換された画像信号に基づいて画像を記録する電子写真方式の記録手段とを備え、前記第一の解像度変換手段が前記黒成分の画像データに応じてパルス幅変調した前記第一の解像度の画像信号を生成する際に閾値信号として使用するパターン信号の周波数は、前記第二の解像度変換手段が使用する前記パターン信号の周波数よりも高いことを特徴とする。
【０００８】
【発明の実施の形態】
以下、本発明にかかる一実施形態の画像記録装置を図面を参照して詳細に説明する。
【０００９】
図１は本発明にかかる一実施形態の画像記録装置の構成例を示す概観図である。図示の如く、実施形態においてはカラー複写機に適用した場合を示している。このカラー複写機は主として画像読取部（リーダ部）１１００とプリンタ部１１０９で構成されるが、各構成部分をその動作と共に説明すると以下の通りである。
【００１０】
原稿１１０１は、その読取面をプラテンガラス１１０３に面するように載置し、原稿抑え板１１０２によって、固定される。この後、光学部１１０４は図示右端位置から図示の矢印方向に速度Ｖで移動しながら、内部のランプ１１０５を点灯して移動を行う。
【００１１】
原稿１１０１からの反射光は、光学部１１０４内に設けられたミラー及びミラー部１１０５（速度Ｖ／２で図示矢印方向に移動する）で反射させた後、レンズ１１０６を経てセンサ部１１０７で結像された像を検出する。センサ部１１０７内には各色成分毎のセンサ１１０７Ｒ，Ｇ，Ｂが設けられおり、ここで各輝度色成分が電気信号に変換される。センサ部１１０７で得られたＲＧＢ信号は本装置の画像処理部１１０８に取り込まれ、ここで後述する処理を行ってＹ，Ｍ，Ｃ，ＢＫの記録色成分を生成し、それぞれの色成分に基づいてプリンタ部１１０９で可視画像を重畳形成する。
【００１２】
プリンタ部１１０９では、画像処理部１１０８からの記録色成分の信号はビデオ信号として、搬送クロックに同期して図示のレーザドライバ１１１０に供給される。レーザドライバ１１１０は、半導体レーザ素子１１１１を、入力したビデオ信号に従って駆動する。この結果発生したレーザ光は、回転多面鏡１１１２の１つの側面に照射され、この結果水平方向にレーザ光は振らされる。回転多面鏡１１１２からの反射光であるレーザ光は、ｆ・θ特性を有するレンズ１１１３経て、更にミラー１１１４で反射された後、感光ドラム１１１５に照射される。レーザ光は回転多面鏡１１１２によって振らされており、且つ、ｆ・θレンズ１１３を経ているので、感光ドラム１１１５上を走査露光することになる。
【００１３】
感光ドラム１１１５には、回動自在な現像部１１１６内の現像器１１１６Ｃ，Ｍ，Ｙ，Ｂｋのいずれかが当接する。当接する現像器は、画像処理部１１０８からの指示に従うものであるが、その時点でレーザドライバ１１１０に出力しているビデオ信号の元になっている色成分と同じものである。この結果、感光ドラム１１１５で形成された静電潜像は、その時点で当接している現像器によって顕像化され、転写ドラム１１１９に巻き付けられた記録紙上にトナー像が転写される。なお、図示の場合には、マゼンタ成分の現像が行われていることを示している。
【００１４】
さて、記録紙は、給紙カセット１１１７或いは１１１８のいずれかから装置内に搬送されたものであり、静電気の作用で転写ドラム１１１９に巻き付けられている。
【００１５】
こうして、上記処理を４色成文につき順次行うことで、転写ドラム１１１９に巻き付けられた記録紙上には４色成分のトナーが転写されることになる。そして、４色成分の転写処理が完了すると、転写ドラム１１１９に巻き付けられた記録紙は、不図示の剥離爪によって剥離された後、定着器１１２０に向けて搬送され、定着され、最終的に装置外に排出される。
【００１６】
なお、本実施形態の装置が使用するトナーは、スチレン系重合樹脂をバインダとし、各色の色剤を分散して生成したものである。
【００１７】
図２は主として画像処理部１１０８のブロック構成図を示している。
【００１８】
同図において、ＣＰＵ２１４は、ＲＯＭ２１６などに予め格納されたプログラムに従って、以下の各構成を含む本実施形態全体の制御を行う。ＲＡＭ２１５はＣＰＵ２１４によりワークエリアとして利用され、ＲＯＭ２１６には制御プログラムのほかに画像処理パラメータなども格納されている。
【００１９】
操作部２１７は、キーボードやタッチパネルおよびＬＣＤなどの表示器２１８を有し、オペレータからの指示をＣＰＵ２１４へ伝えたり、ＣＰＵ２１４によって装置の動作条件や状態を表示したりするものである。
【００２０】
また、アドレスカウンタ２１２は、クロック発生部２１１で発生された一画素単位のクロックＣＬＫを計数して、１ラインの画素アドレスを表す主走査アドレス信号を出力する。デコーダ２１３は、アドレスカウンタ２１２から出力された主走査アドレス信号をデコードして、シフトパルスやリセットパルスなどライン単位にＣＣＤセンサ１１０５を駆動する信号２１９や、ＣＣＤセンサ１１０５から出力された１ライン分の信号中の有効領域を表す信号ＶＥ、ライン同期信号ＨＳＹＮＣなどを生成する。なお、アドレスカウンタ２１２は、信号ＨＳＹＮＣでクリアされて、次ラインの主走査アドレスの計数を開始する。
【００２１】
ＣＣＤセンサ１１０５から出力された画像信号は、アナログ信号処理部２０１に入力されてゲインやオフセットが調整された後、Ａ／Ｄ変換部２０２で各色成分毎に例えば８ビットのＲＧＢディジタル画像信号に変換され、シェーディング補正部２０３において、色毎に、基準白色板１１２１（図１参照）を読取った信号を用いる公知のシェーディング補正が施される。
【００２２】
ラインディレイ部２０４は、シェーディング補正部２０３から出力された画像信号に含まれている空間的ずれを補正する。この空間的ずれは、ＣＣＤセンサ１０５の各ラインセンサが、副走査方向に、互いに所定の距離を隔てて配置されていることにより生じたものである。具体的には、Ｂ色成分信号を基準として、ＲおよびＧの各色成分信号を副走査方向にライン遅延し、三つの色成分信号の位相を同期させる。
【００２３】
補正部１１０８は、詳細は後述するが、ラインディレイ部２０４から出力された画像信号に輝度補正を施すものである。
【００２４】
入力マスキング部２０５は、補正部１１０８から出力された画像信号の色空間を、式（１）のマトリクス演算により、ＮＴＳＣの標準色空間に変換する。つまり、ＣＣＤセンサ１０５から出力された各色成分信号の色空間は、各色成分のフィルタの分光特性で決まっているが、これをＮＴＳＣの標準色空間に変換するものである。
【００２５】
【数１】
0003728017.tif 000002
【００２６】
ＬＯＧ変換部２０６は、例えばＲＯＭなどからなるルックアップテーブルで構成され、入力マスキング部２０５から出力されたＲＧＢ輝度信号をＣＭＹ濃度信号に変換する。
【００２７】
遅延メモリ２０７は、図示しない各種処理の処理結果に同期させるため、ＬＯＧ変換部２０６から出力されたＣＭＹ濃度信号を遅延する。
【００２８】
マスキング・ＵＣＲ部２０８は、ライン遅延メモリ２０７から出力された画像信号から黒成分信号Ｋを抽出し、さらに、プリンタ部１１０９の記録色材の色濁りを補正するマトリクス演算を、ＹＭＣＫ画像信号に施して、リーダ部１１００の各読取動作ごとにＭ，Ｃ，Ｙ，Ｋ順に、例えば８ビットの色成分画像信号を出力する。なお、マトリクス演算に使用するマトリクス係数は、ＣＰＵ２１４によって設定されるものである。
【００２９】
ガンマ補正部２０９は、画像信号をプリンタ部１１０９の理想的な階調特性に合わせるために、マスキング・ＵＣＲ部２０８から出力された画像信号に濃度補正を施す。出力フィルタ（空間フィルタ処理部）２１０は、ＣＰＵ２１４からの制御信号に従って、ガンマ補正部２０９から出力された画像信号にエッジ強調またはスムージング処理を施す。
【００３０】
ルックアップテーブル（ＬＵＴ）２５は、原画像の濃度と出力画像の濃度とを一致させるためのもので、例えばＲＡＭなどで構成され、その変換テーブルは、ＣＰＵ２１４によって設定されるものである。パターンジェネレータ２９は、テストプリント時に適当なパターンを発生するものである。パルス幅変調器（ＰＷＭ）２６は、入力された画像信号のレベルに対応するパルス幅を有するパルス信号を出力し、そのパルス信号はレーザ光源１１０７を駆動するレーザドライバ１１１０へと入力される。
【００３１】
以下、実施形態におけるパルス幅変換処理による階調処理について説明する。
【００３２】
図４は実施形態におけるパルス幅変調器（ＰＷＭ）２６の回路構成図を示している。
【００３３】
ルックアップテーブル２５からの画像信号（Ｙ，Ｍ，Ｃ、Ｂｋのいずれかの８ビット信号）は、図示の画像クロックに同期してＤ／Ａ変換器に供給され、ここで、その画像信号で示される値に応じた電圧を持ったアナログ信号に変換される。このアナログ信号はコンパレータ４０４、４０５それぞれの一方の入力端子に供給される。
【００３４】
コンパレータ４０４の他方の入力端子には、図示の三角波発生部４０２（画像クロックに同期している）からの三角波が供給され、コンパレータ４０５の他方の入力端子には三角波発生部４０３からの三角波が供給されている。
【００３５】
ここで、注目する点は、三角波発生部４０３は、画像クロックと同周波数の三角波を発生するのに対し、三角波発生部４０２では画像クロックの１／２の周波数（波長が２倍）の三角波を発生することである。
【００３６】
この結果、コンパレータ４０４と４０５は、図３に示すごとく、それぞれの三角波に従ったパルス幅を有する信号を生成する。
【００３７】
これらコンパレータ４０４、４０５で得られたパルス幅変調信号は、入力したデジタル画像データで示される値に応じた幅を有するものとなるが、その内の１つがスイッチ４０６によって選択され、アンプ４０７で適当なレベルまで増幅された後、レーザドライバに供給されることになる。
【００３８】
さて、本実施形態では、このスイッチ４０６の切換は、ＣＰＵ２１４によって制御されるものである。
【００３９】
すなわち、原稿読取（４００ｄｐｉによる画像読取）を４回行ない、それぞれの読取毎にＹ，Ｍ，Ｃ、Ｂｋの各色成分の画像形成を、この順に行う場合には、最初の３回のＹ，Ｍ，Ｃに関してはコンパレータ４０４からのパルス幅変調信号を採用して画像を形成する。そして、最後のＢｋ成分の記録時にはコンパレータ４０５からのパルス幅信号を採用して画像を形成する。
【００４０】
この結果、黒成分、換言すれば、ほとんどの原稿における文字や線画部分に関しては、４００ｄｐｉで記録されることになり、そのエッジ部分を滑らかに記録することが可能になり、且つ、Ｙ，Ｍ，Ｃ成分については実質的に２画素分のデジタル画像に対して１個の記録画素が形成されることにより、形成される画像ががさつかず、階調性に優れた画像を形成することになる。
【００４１】
特に、上記構成によれば、結果的に得られる解像度は、黒成分のそれは他のＹ，Ｍ，Ｃ成分のそれの倍になるものの、格別な回路構成（例えば回転多面鏡の回転速度や感光ドラムの回動速度、半導体レーザドライバへのビデオ信号出力クロック）等を一切変更なしに記録することができるので、装置構成としては非常に簡素化することができる。
【００４２】
ただし、上記の構成では、原稿の副走査方向は色成分にかかわらず４００ｄｐｉであるものの、上記の処理を行うことで良好なカラー画像を出力できた。しかしながら、Ｙ，Ｍ，Ｃの成分については副走査方向についても２００ｄｐｉで記録するような回路構成を追加しても良い。
【００４３】
以上説明したように本実施形態に従えば、文字線画として黒色が用いられることが多いという現状から、黒成分の記録解像度のみを、カラー成分の記録解像度より相対的に高くすることで、文字線画が鮮明に、カラー部分についてはがさつきのない良好な画像を形成することが可能になる。
【００４４】
＜第２の実施形態＞
上記実施形態では、黒色の解像度をＹ，Ｍ，Ｃのそれより相対的に上げたが、これのみでは黒のハイライトにおけるがさつきが発生する可能性がある。そこで、本第２の実施形態では、ＵＣＲ（墨入れ、もしくは下色除去）を変えることにより黒のハイライト部のがさつきを減らす例を説明する。
【００４５】
ＵＣＲとは、例えば、リーダから入ってきたＲＧＢ信号をＭＣＹにログ変換した時の値がＭ＝１００、Ｃ＝１５０、Ｙ＝２００であったとするとｍｉｎ（Ｙ，Ｍ，Ｃ）＝１００にある率ｒを掛けたものを黒Ｂｋに置き換え、それぞれの色成分から黒成分を除去することをいう。上の数値の場合、たとえば、ｒ＝０．５なら、
Ｍ＝１００−１００*０．５＝５０
Ｃ＝１５０−１００*０．５＝１００
Ｙ＝２００−１００*０．５＝１５０
Ｂｋ＝１００*０．５＝５０
となる。
【００４６】
通常のＵＣＲでは、図５に示す如く、墨入れ量ｒは濃度によらず一定になっている。ここで、ＭＣＹが共に、５０の値がくると黒でハイライト２５レベルを出力する事になり、がさつきが目立ってしまう。
【００４７】
そこで、黒の墨量を（図６）のようにハイライトではほぼ０で、途中から急に増えるような形にしておくと、黒でハイライトを出力することがなくなるので、ハイライトのがさつきを抑えることができる。
【００４８】
これを実現するためには、図６に示すような変換曲線を持ったルックアップテーブルを用意し、そのルックアップテーブルにアドレスとしてｍｉｎ（Ｙ，Ｍ，Ｃ）を供給する。これによって墨入れ量ｒを出力し、上記の演算を行ってＭ，Ｃ，Ｙ、Ｂｋを補正すればよい。
【００４９】
以上のようにすることで、本第２の実施形態によれば、ハイライトにおけるがさつきをさらに無くすことができる。
【００５０】
＜第３の実施形態＞
上記第１、第２の実施形態では、１つの感光ドラムを用いて４色成分の現像を行う例を説明したが、独立した感光ドラムを用いて記録するようにしても良い。
【００５１】
図７は、本第３の実施形態におけるカラー複写機の断面構造図を示している。
【００５２】
図示において、７０１〜７０４は感光ドラムであって、Ｙ，Ｍ，Ｃ、Ｂｋ各色成分の現像器７０５〜７０８がそれぞれの感光ドラムに当接している。７０９、７１０及び７２０（７２０はブラック専用）は回転多面鏡であるが、本実施形態では１つの回転多面鏡に対して２つの色成分に対応するレーザ光を別方角から照射することで、回転多面鏡を３つにしている。７１１は定着器、７１２は給紙カセットである。
【００５３】
第１の実施形態と同様に周波数の異なる三角波を適宜切り替えてＢｋ成分の画像形成を、ＹＭＣの各成分の画像形成より高い解像度で記録するようにしても良いが、本第３の実施形態では、Ｂｋ成分については積極的に解像度を上げて記録する。すなわち、不図示の原稿読取の解像度が４００ｄｐｉであるとすると、ＹＭＣは４００ｄｐｉｄｅ，Ｂｋ成分については６００ｄｐｉで記録する。
【００５４】
解像度が１．５倍になるわけであるから、読み取った画像データを縦横共に１．５倍する必要がある。換言すれば、水平垂直の両方において、２画素入力しては３画素出力することが必要になる。これは画像の変倍処理と何等変わらず、変倍処理自身は公知の手段を採用するものとし、その説明は省略する。たとえば、２つの画素を入力した際、内挿法或いは外挿法でもって１画素（２つの平均値や濃度勾配の予測値のデータ）追加し、計３画素として出力する。本第３の実施形態における特徴は、生成されたＹＭＣＢｋのうち、Ｂｋ成分についてのみ変倍処理を行うものである。
【００５５】
必然、最後のプロセスであるＢｋ成分の記録動作中は、感光ドラム７０４を、それ以外のドラムと同じ速度で回転させる必要がある。なぜなら、記録紙が複数の感光ドラムに当接している可能性があり、その速度が異なると記録紙にたわみや引っ張り力が作用することになるからである。従って、Ｂｋ成分の記録時には、回転多面鏡７１０の回転速度及びＢｋ成分の画像信号に基づく画素クロックを適正な状態に変更する必要はある。
【００５６】
以上の如く、本第３の実施形態によれば、カラー自然画についてはハイライトのがさつきの少ない４００ｄｐｉで出力し、文字部は細部まで表現できる解像度の高い６００ｄｐｉで出力することによって、自然画と文字の両立した高画質の画像が得られるようになる。
【００５７】
＜第４の実施形態＞
上記第３の実施形態では、黒（Ｂｋ）も多値で出力したが、本第４の実施形態では黒の解像度を６００ｄｐｉにし２値化した結果を出力する。装置構成は図９と同じとする。本実施形態では、コピー画像を黒文字とカラー自然画部に分け、自然画部は３色（ＭＣＹ）の４００ｄｐｉの２５６階調で表現し、黒文字部は６００ｄｐｉの２値で作像することにした。
【００５８】
上記を行うことによって、自然画はハイライトのがさつきの少ない４００ｄｐｉで出力し、文字部は細部まで表現できる解像度の高い６００ｄｐｉで出力することによって、自然画と文字の両立した高画質の画像が得られる。
【００５９】
＜第５の実施形態＞
上記第１〜第４の実施形態では、いずれも複写機に適用させた例を説明したが、本発明はこれに限定されるものではない。
【００６０】
第５の実施形態として、カラーレーザビームプリンタに適用させた例を説明する。
【００６１】
カラーレーザビームプリンタの印刷部分（プリントエンジン部）の構造は、図１、図７のいずれであっても構わないが、ここでは図１に従って説明する。ただし、複写機としても機能するのであればリーダ部１１００は必要になるが、純粋にホストコンピュータに接続されるプリンタに適用するのであればリーダ部１１００は不要である。
【００６２】
図８は、第５の実施形態におけるカラーレーザビームプリンタのブロック構成図である。
【００６３】
図示において、８１は装置全体の制御を司るＣＰＵであり、８２はＣＰＵ８１の動作処理手順や各種フォントデータを記憶しているＲＯＭである。８３はＣＰＵ８１のワークエリアとして使用されるＲＡＭであり、ホストコンピュータからの受信データを格納する受信バッファが確保されている。８４は各種指示を与えるためのスイッチや、メッセージを表示するＬＣＤを備えた操作パネルである。８５は、ホストコンピュータとので授受を行うためのインタフェースであり、８６Ｙ〜８６Ｂｋは各記録色成分のビットマップデータを格納する画像メモリである。８７は画像メモリから出力されてきたデータをパルス幅変調して、プリンタエンジンにビデオ信号として出力するためのエンジンインタフェースである。
【００６４】
本実子形態におけるプリンタエンジン８７の記録解像度は、３００ｄｐｉと６００ｄｐｉを有し、これらの解像度変更は、回転多面鏡１１１２の回転速度及びエンジンインタフェース８７のビデオ信号として転送する際の同期クロックを変更することで行うものとする。
【００６５】
上記の構成において、ホストコンピュータからの印刷データは、たとえばページ記述言語である例を説明する。また、ＵＣＲ処理等の各種変換処理は、ＣＰＵ８１がソフトウェアで行うものとする。
【００６６】
さて、本実施形態では、ＹＭＣ成分については３００ｄｐｉで記録し、Ｂｋ成分については主走査及び副走査共６００ｄｐｉで記録する。このため、Ｂｋ成分についての画像メモリ８６Ｂｋは、他の色成分の容量に対して４倍の容量を有する。
【００６７】
説明を簡単にするため、ホストコンピュータ側からは３００ｄｐｉの解像度を持ったプリンタが接続されているかのように振る舞うものとする。
【００６８】
従って、受信した印刷データ中の各種コマンドに対する処理において、ＹＭＣ成分については通常のパターン展開、Ｂｋ成分についてはコマンドによって指定された情報を変更してパターン展開を行う。つまり、Ｂｋ成分については、たとえば印刷データで示されている文字サイズが１２ポイントであれば、その倍の２４ポイントとして訂正し、ドットサイズが縦横２倍のパターンを発生する。また、直線の描画コマンドが始点座標とその長さと向きで表されるものであれば、始点座標とその長さを２倍に補正し描画する（向きは変わらない）。勿論、直線が始点座標と終点座標で表されるのであれば、その両方を補正することになる。つまり、解像度を換えることで、影響を受けるパラメータをすべて補正する。
【００６９】
また、ホストコンピュータからビットマップデータ（１画素１ビットとは限らない）を受信した場合、そのビットマップ中のＢｋ成分については補間処理を行ない画像メモリ８６Ｂｋに展開する。
【００７０】
上記構成における本第５の実施形態のＣＰＵ８１の動作処理手順を図９のフローチャートに従って説明する。なお、印刷データの受信処理は、インタフェース８５にデータが供給された場合に発生する割り込み信号によって、インタフェース８５にラッチされたデータを読出し、それをＲＡＭ８３中の受信バッファに格納するという処理を行うものであり、その説明は省略する。ここでは印刷処理のメイン処理について説明する。
【００７１】
まず、ステップＳ１で受信バッファからデータを読出し、ステップＳ２でそのデータを解析する。この解析処理では、少なくとも、指示された文字や線画の指示色を解析し、その指示色がＹＭＣＢｋのいずれの組み合わせで実現できるかを判断する。
【００７２】
さて、処理がステップＳ３に進むと、Ｙ成分についての描画を行う必要があるかどうかを判断する。ここでＹ成分についての描画が必要であると判断した場合には、ステップＳ７に進み、画像メモリ８６Ｙにビットマップ展開する。
【００７３】
以下、ステップＳ４〜ステップＳ６の判断処理において、Ｍ，Ｃ，Ｂｋの成分についての描画を行う必要があるかを判断し、必要ありと判断した場合には、ステップＳ８〜Ｓ１１で対応する画像メモリにビットマップ展開する。
【００７４】
ここで、注目する点は、Ｂｋ成分についての描画の必要有りと判断した場合である。この場合、解析中の印刷コマンド或いはそのデータについては、ステップＳ１０で解像度変換に伴う情報訂正を行ない、ステップＳ１１ではその訂正された情報に従ってビットマップ展開を行う。
【００７５】
以上のようにして、順次印刷データを読み込んでは、ビットマップ展開を行うことになるが、ステップＳ１２で１ページ分のビットマップ展開がなされた、すなわち、改ページコマンドを読み取ったと判断した場合には、ステップＳ１３に進み、Ｙ，Ｍ，Ｃ、Ｂｋの順に画像を記録していく。
【００７６】
先に説明したように、ＹＭＣについては３００ｄｐｉ，Ｂｋ成分については６００ｄｐｉであるので、Ｂｋ成分のレーザ光発行による画像形成時には、回転多面鏡や、画像クロックを変更することで、画像メモリ８６Ｂｋ内に格納されている画像を、他の色成分と同じサイズにして記録することになる。
【００７７】
本来、Ｙ，Ｍ，Ｃ等のカラー成分については階調表現等、全体的な調和がとれていれば人間には違和感はなく、適当な解像度があれば十分である。しかし、文字線画等で多様される黒Ｂｋについてはその鮮明さが要求される。上記構成によれば、これらの課題をすべて解決できる。なお且つ、すべての色成分について大容量のメモリを割り当てるのではなく、必要な成分についてのみ多いメモリを割り当てることで、装置全体のコストを抑えることも可能になり、人間の視覚には、全ての色成分について解像度を上げたのと実質的に同じ感覚を与えることが可能になる。
【００７８】
なお、上記各実施形態では、黒成分を含む各色成分における階調数を同じとして説明したが、黒の階調数を他の色より少なくするようにしても良い。この結果、たとえば原稿画像を画像メモリに一旦蓄える処理を行う場合のメモリ容量を大幅に少なくできることが可能になる。
【００７９】
また、上記実施形態では、レーザビームプリンタを用いた例を説明したが、本発明の思想範疇であればいかなる記録方式に適用しても構わない。
【００８０】
更にまた、上記実施形態の機能を実現する手段と、公知の手段とを適宜切り替えるようにしても構わない。
【００８１】
【発明の効果】
以上説明したように本発明によれば、文字線画に使用される確率の高い黒の解像度を相対的に上げた記録設定を行うことで、装置規模の大幅な簡略化を図り、黒色の文字線画とカラー階調画像というほとんどのケースに適用でき、良好な画質の画像を形成することが可能になる。
【００８２】
【図面の簡単な説明】
【図１】第１の実施形態におけるカラー複写機の断面構造図である。
【図２】図１における画像処理部１１０８のブロック構成図を示す図である。
【図３】第１の実施形態におけるパルス幅変調の波形を示す図である。
【図４】第１の実施形態におけるパルス幅変調の回路図である。
【図５】通常の墨入れ量を示す図である。
【図６】第２の実施形態における墨入り量の変化を示す図である。
【図７】第３の実施形態における装置の断面構造図である。
【図８】第５の実施形態における装置のブロック構成図である。
【図９】第５の実施形態における処理手順を示すフローチャートである。
【図１】
0003728017.tif 000003
【図２】
0003728017.tif 000004
【図３】
0003728017.tif 000005
【図４】
0003728017.tif 000006
【図５】
0003728017.tif 000007
【図６】
0003728017.tif 000008
【図７】
0003728017.tif 000009
【図８】
0003728017.tif 000010
【図９】
0003728017.tif 000011